(57)【要約】【課題】簡単な構成で、衝撃音等を低く抑えることができる衝撃緩衝装置を備えた手動式シャッター装置を提供する。【解決手段】手動式シャッター装置１０は、建築物の開口部１の左右に立設された一対のガイドレール１１，１１と、このガイドレールに沿って昇降移動可能なシャッターカーテン１２と、開口部の上部に設けられてシャッターカーテンを巻き取る巻取ドラムと、シャッターカーテンの巾木１２ａに設けられたローラー２０と、ガイドレールに設けられたローラーガイド３０とを備え、ローラーは、支持部材２２により左右方向に回動自在に設けられているとともに、引張りコイルばね２４によりローラーガイド側に付勢されており、ローラーガイドは、上下方向に延びてローラーを案内する案内部３１を備えており、案内部は、シャッター全開時手前で、上方に向かうにつれて漸次開口部側に向かうように形成されている。【選択図】図１
2006336358.tif 000002
【特許請求の範囲】
【請求項１】
建築物の開口部の左右に立設された一対のガイドレールと、このガイドレールに沿って昇降移動可能なシャッターカーテンと、前記開口部の上部に設けられて前記シャッターカーテンを巻き取る巻取ドラムと、前記シャッターカーテンに設けられたローラーと、前記開口部の側部に設けられたローラーガイドとを備え、前記ローラーは、支持部材により左右方向に移動自在に設けられているとともに、付勢部材により前記ローラーガイド側に付勢されており、前記ローラーガイドは、上下方向に延びて前記ローラーを案内する案内部を備えており、該案内部は、少なくてもシャッター全開時手前で、上方に向かうにつれて前記開口部側に向かうように形成されていることを特徴とする手動式シャッター装置。
【発明の詳細な説明】
【技術分野】
【０００１】
本発明は、シャッターカーテンを手動で開閉する手動式シャッター装置に関する。
【背景技術】
【０００２】
手動式シャッター装置は、建築物等の開口部の左右に立設された一対のガイドレールに沿ってシャッターカーテンが昇降可能に設けられ、このシャッターカーテンを巻取ドラムに巻き取ることでシャッターカーテンを引き上げて開口部を開放し、シャッターカーテンを巻取ドラムから引き出して開口部を閉塞するようになっている。
【０００３】
前記巻取ドラムは、コイルばね等の付勢部材を備えており、シャッターカーテンを引き出す時に、巻取ドラムの回転に伴って付勢力を蓄え、シャッターカーテンを開ける時に、この付勢力により操作力を軽減するか、またはこの付勢力のみでシャッターカーテンを巻取ドラムに巻き取るようになっている。
【０００４】
このような手動式シャッター装置では、開放操作時に、付勢部材の付勢力に操作力が加わって、シャッターカーテンの移動速度が大きくなり、シャッターボックスの下面にシャッターカーテンの下端のストッパ部が勢い良く衝突することがある。このような衝突は、大きな衝突音を発生させるとともに、シャッターカーテン等に大きな衝撃力を与える。特に、近年、建築物の開口部が大きくなり、これに伴ってシャッター装置が大型化し、上記の衝突の際の衝撃力等が大きくなっており、これを防止することが望まれている。
【０００５】
そこで、従来、衝撃緩衝装置としてエアダンパーを設けることが提案されている（例えば、特許文献１参照）。これは、シャッターボックスの左右両側に、全開状態となる少し前にシャッターカーテンのストッパ部に当接するように、操作ロッドを下向きにしてエアダンパーを設けたものである。このエアダンパーは、ロッド体（ロッド）の先端に設けられたシール体（シール）によって筒体内に気密室が形成されるとともに、ロッド体とシール体との間に排気口が形成されており、気密室内の空気を圧縮しつつ排気口から空気を排出することにより、シャッターカーテンの移動速度を減速するようになっている。
【０００６】
【特許文献１】特開２００４−３１６３２９号公報
【発明の開示】
【発明が解決しようとする課題】
【０００７】
しかしながら、このようなエアダンパーを用いた衝撃緩衝装置は、シャッターカーテンが全開時の直前で、エアダンパーがストッパ部に当接して衝撃を緩和する構造であるので、シャッターカーテンの速度が相当に大きくなってからエアダンパーを作用させることになるため、エアダンパーの負担が大きく、故障の発生や耐久性の面で問題があり、また衝撃音等も十分に低くするのは困難であるという問題がある。
【０００８】
本発明は、このような事情に鑑みて為されたもので、簡単な構成で、衝撃音等を低く抑えることができる衝撃緩衝装置を備えた手動式シャッター装置を提供することを目的とする。
【課題を解決するための手段】
【０００９】
前記目的を達成するために、請求項１に記載の手動式シャッター装置は、建築物の開口部の左右に立設された一対のガイドレールと、このガイドレールに沿って昇降移動可能なシャッターカーテンと、前記開口部の上部に設けられて前記シャッターカーテンを巻き取る巻取ドラムと、前記シャッターカーテンに設けられたローラーと、前記開口部の側部に設けられたローラーガイドとを備え、前記ローラーは、支持部材により左右方向に移動自在に設けられているとともに、付勢部材により前記ローラーガイド側に付勢されており、前記ローラーガイドは、上下方向に延びて前記ローラーを案内する案内部を備えており、該案内部は、少なくてもシャッター全開時手前で、上方に向かうにつれて前記開口部側に向かうように形成されていることを特徴とする。
【００１０】
請求項１に記載の発明においては、シャッターカーテンを開ける際、全開状態より手前で、ローラーが付勢部材の付勢力によりローラーガイドの案内部に押し付けられ、そして案内部が上方に向かうにつれて開口部側（側方内方側）に向かうように形成されているので、ローラーが案内部に沿って上方に向かうにつれて、ローラーに作用する抵抗力が大きくなる。すなわち、シャッターカーテンに抵抗力が左右両側から作用することになる。その結果、使用者が勢いをつけてシャッターカーテンの開動作を行った場合などでも、シャッターカーテンの移動速度が増して上昇することが抑制される。
【発明の効果】
【００１１】
請求項１に記載の手動式シャッター装置によれば、ローラーとローラーガイドとを用いた簡単な構成により、全開操作時に、たとえシャッターカーテンを上方に押し上げた場合などでも、ローラーガイドの案内部で減速するようにしているので、シャッターカーテンの移動速度が大きくなるのを防止できる。このため、シャッターカーテンのストッパ部等がシャッターボックス等に勢いよく衝突するのを抑制することができ、したがって大きな衝突音の発生を抑制できるとともに、シャッターカーテン等に大きな衝撃力が作用するのを抑制できる。
【発明を実施するための最良の形態】
【００１２】
以下、図面を参照しながら、本発明の実施の形態を説明する。
図１は、本発明の第１の実施の形態に係る手動式シャッター装置を屋内側から見た図である。
このシャッター装置１０は、建築物の開口部１の左右に立設される一対のガイドレール１１，１１と、このガイドレール１１，１１に沿って昇降可能に設けられたシャッターカーテン１２と、開口部１の上側に設けられ、シャッターカーテン１２を巻き取る巻取ドラム（図示せず）とを備えている。巻取ドラムはシャッターボックス（図示せず）内に設けられている。そして、巻取ドラムにシャッターカーテン１２が巻き取られることにより、シャッターカーテン１２がガイドレール１１，１１に沿って上昇して、開口部１が開放され、一方巻取ドラムからシャッターカーテン１２を引き出して、開口部１を閉塞するようになっている。
【００１３】
シャッターカーテン１２は、例えば、複数個の細長いスラットが上下方向に互いに連結されて構成される。このシャッターカーテン１２の上端部は、巻取ドラムに固定されている。また、シャッターカーテン１２の下端には、巾木１２ａが設けられている。
巻取ドラムは、付勢部材（図示せず）を備えており、シャッターカーテンを引き出す時に、巻取ドラムの回転に伴って付勢力を蓄え、シャッターカーテンを開ける時に、この付勢力により操作力を軽減するか、またはこの付勢力のみでシャッターカーテン１２を巻取ドラムに巻き取るようになっている。この付勢部材は、例えば、巻取ドラムとシャッターボックスとの間に張設されたコイルばね等により構成される。本例では、全開時手前３０〜５０ｃｍ程度でシャッターカーテン１２から手を離すと、巻取ドラムの付勢部材の付勢力によりシャッターカーテン１２が巻き取られ、それより手前で手を離しても、シャッターカーテン１２はその位置に留まるように、付勢部材の付勢力が設定されている。
【００１４】
シャッターカーテン１２の巾木１２ａの屋内側の左右両端部にはそれぞれ、ローラー２０，２０が設けられている。これらのローラー２０，２０は、左右対称に配置されている。
このローラー２０は、巾木１２ａの端部に上端部をピン２１により左右方向に回動自在に固定された板状の支持部材２２の下端部に、ピン２３により回転自在に取り付けられている。この支持部材２２の上端部と巾木１２ａとの間には、引張りコイルばね（付勢部材）２４が設けられており、この引張りコイルばね２４により、ローラー２０が側方外方に付勢されている。なお、巾木１２ａには、支持部材２２を挟んで引張りコイルばね２４と反対側の位置に、支持部材２２に当接し、該支持部材２２が側方外方へ必要以上に回動するのを阻止するストッパ２５が設けられている。
【００１５】
一方、ガイドレール１１の上端部分には、上下方向に延びる板状のローラーガイド３０が設けられている。このローラーガイド３０には、ローラー２０を案内する案内部３１が形成されている。この案内部３１は、上方に向かうにつれて漸次開口部１側（側方内方側）に向かうような傾斜面とされている。すなわち、案内部３１は、上方に向かうにつれて漸次ローラー２０に接近するような傾斜面とされている。案内部３１の下端部には、ローラー２０を案内部３１に侵入し易くするために、面取り部３２が形成されている。なお、この案内部３１は、上方に向かうにつれて漸次開口部１側（側方内方側）に向かうような円弧面等の曲面に形成してもよい。ローラーガイド３０は、本例では、シャッターカーテン１２から手を離すと、巻取ドラムの付勢部材の付勢力によりシャッターカーテン１２が自動的に巻き取られるように設定した範囲（言わば、自動巻取範囲）である、シャッターカーテン１２の全開時手前３０〜５０ｃｍ程度から全開時に相当する高さ位置の範囲に設けられている。
【００１６】
このように構成された手動式シャッター装置１０においては、シャッターカーテン１２を開ける際、全開状態より手前３０〜５０ｃｍ程度の位置で、ローラー２０がローラーガイド３０の案内部３１に当接し、その後案内部３１上を転動する。ローラー２０が案内部３１上を転動するとき、ローラー２０は引張りコイルばね２４の付勢力により案内部３１に押し付けられており、そして案内部３１が上方に向かうにつれて漸次開口部１側（側方内方側）に向かうような傾斜面とされているので、ローラー２０が案内部３１上を上方に向かうにつれて、ローラー２０に作用する抵抗力が次第に大きくなる。すなわち、シャッターカーテン１２に次第に大きな抵抗力が左右両側から作用することになる。その結果、巻取ドラムの付勢部材の付勢力によりシャッターカーテン１２が自動的に巻き取られるように設定した範囲で、使用者が勢いをつけてシャッターカーテン１２の開動作を行った場合などでも、シャッターカーテン１２の移動速度が増して上昇することが抑制される。
【００１７】
このように、この手動式シャッター装置１０にあっては、ローラー２０とローラーガイド３０とを用いた簡単な構成により、全開操作時に、たとえ自動巻取範囲でシャッターカーテン１２を上方に押し上げた場合などでも、案内部３１の部分で次第に大きく減速するようにしているので、シャッターカーテン１２の移動速度が大きくなるのを防止できるため、シャッターカーテン１２のストッパ部がシャッターボックス等に勢いよく衝突するのを抑制することができ、したがって大きな衝突音の発生を抑制できるとともに、シャッターカーテン１２等に大きな衝撃力が作用するのを抑制できる。特に、手動式シャッター装置１０が大型の場合には、シャッターカーテン１２が全開になる前に手が届かなくなるために押し上げ操作をする場合が多く、この衝突音および衝撃力が大きくなり易いので、効果的である。
【００１８】
図２は、本発明の第２の実施の形態に係る手動式シャッター装置を屋内側から見た図である。
このシャッター装置１０Ａは、ローラーガイド３０に代えて、ローラーガイド３０Ａを用いている点のみが第１の実施の形態と異なり、その他の構成は同じである。板状のローラーガイド３０Ａは、ローラーガイド３０と同様に、ガイドレール１１の上端部分に上下方向に延びるように設けられている。そして、ローラーガイド３０Ａの案内部３１Ａは、下端部から上方に向かって直線状に延び、上端部において上方に向かうにつれて急激に開口部１側（側方内方側）に向かうような円弧状の曲面とされている。すなわち、案内部３１Ａの上端部は、上方に向かうにつれて急激にローラー２０に接近するような曲面とされている。なお、曲面でなく、傾斜面としてもよい。案内部３１Ａの下端部には、面取り部３２が形成されている。
【００１９】
このように構成された手動式シャッター装置１０Ａにおいては、シャッターカーテン１２を開ける際、全開状態より手前３０〜５０ｃｍ程度の位置で、ローラー２０がローラーガイド３０Ａの案内部３１Ａに当接し、その後案内部３１Ａ上を転動する。ローラー２０が案内部３１Ａの直線状の部分を転動するとき、ローラー２０は引張りコイルばね２４の付勢力により案内部３１Ａに少し押し付けられており、これによりローラー２０に少しの抵抗力が作用し、その結果シャッターカーテン１２の移動速度が少し減速される。その後、ローラー２０が案内部３１Ａの上端部の曲面を転動するとき、ローラー２０は引張りコイルばね２４の付勢力により案内部３１Ａに急激に大きな力で押し付けられ、これによりローラー２０に急激に大きな抵抗力が作用し、その結果シャッターカーテン１２の移動速度が急激に減速される。
【００２０】
このように、この手動式シャッター装置１０Ａにあっては、ローラー２０とローラーガイド３０Ａとを用いた簡単な構成により、全開操作時に、たとえ自動巻取範囲でシャッターカーテン１２を上方に押し上げた場合などでも、案内部３１Ａの直線状の部分で少しシャッターカーテン１２の移動速度を落としておき、全開直前の案内部３１Ａの曲面部で急激に減速するようにしているので、シャッターカーテン１２の移動速度が大きくなるのを防止できるため、シャッターカーテン１２のストッパ部がシャッターボックス等に勢いよく衝突するのを抑制することができ、したがって大きな衝突音の発生を抑制できるとともに、シャッターカーテン１２等に大きな衝撃力が作用するのを抑制できる。
【００２１】
図３は、本発明の第３の実施の形態に係る手動式シャッター装置を屋内側から見た図である。
このシャッター装置１０Ｂは、ローラーガイド３０に代えて、ローラーガイド３０Ｂを用いている点のみが第１の実施の形態と異なり、その他の構成は同じである。板状のローラーガイド３０Ｂは、ガイドレール１１の上端部から下端部に渡って設けられている。ローラーガイド３０Ｂの案内部３１Ｂは、下端部から上方に向かって直線状に延び、上端部分において上方に向かうにつれて漸次開口部１側（側方内方側）に向かうような傾斜面とされている。すなわち、案内部３１Ｂの上端部分は、上方に向かうにつれて漸次ローラー２０に接近するような傾斜面とされている。なお、案内部３１Ｂのこの上端部分は、上方に向かうにつれて漸次開口部１側（側方内方側）に向かうような円弧面等の曲面に形成してもよい。案内部３１Ｂのこの傾斜面の部分は、本例では、第１の実施の形態における傾斜面と同様に、シャッターカーテン１２から手を離すと、付勢部材の付勢力によりシャッターカーテン１２が自動的に巻き取られるように設定した範囲である、シャッターカーテン１２の全開時手前３０〜５０ｃｍ程度から全開時に相当する高さ位置の範囲に設けられている。
【００２２】
このように構成された手動式シャッター装置１０Ｂにおいては、全閉時においても、ローラー２０がローラーガイド３０Ｂの案内部３１Ｂの直線状の部分に当接しており、そしてシャッターカーテン１２を開ける際、全開状態より手前３０〜５０ｃｍ程度の位置で、案内部３１Ｂの傾斜面の部分を転動する。シャッターカーテン１２を開ける際には、ローラー２０が案内部３１Ｂの直線状の部分を転動するとき、ローラー２０は引張りコイルばね２４の付勢力により案内部３１Ａに少し押し付けられており、これによりローラー２０に少しの抵抗力が作用し、その結果シャッターカーテン１２の移動速度が少し減速される。その後、ローラー２０が案内部３１Ｂの上端部分の傾斜面を転動するとき、ローラー２０が傾斜面上を上方に向かうにつれて、ローラー２０に作用する抵抗力が次第に大きくなる。すなわち、シャッターカーテン１２に次第に大きな抵抗力が左右両側から作用することになる。その結果、その結果、巻取ドラムの付勢部材の付勢力によりシャッターカーテン１２が自動的に巻き取られるように設定した範囲で、使用者が勢いをつけてシャッターカーテン１２の開動作を行った場合でも、シャッターカーテン１２の移動速度を増して上昇することが抑制される。
【００２３】
このように、この手動式シャッター装置１０Ｂにあっては、ローラー２０とローラーガイド３０Ｂとを用いた簡単な構成により、全開操作時に、たとえ自動巻取範囲でシャッターカーテン１２を上方に押し上げた場合などでも、シャッターカーテン１２がまだ自動巻取範囲に達する以前から案内部３１Ｂの直線状の部分で少しシャッターカーテン１２の移動速度が上がらないようにしておき、自動巻取範囲に入ってからは案内部３１Ｂの傾斜面の部分で次第に大きく減速するようにしているので、シャッターカーテン１２の移動速度が大きくなるのを防止できるため、シャッターカーテン１２のストッパ部がシャッターボックス等に勢いよく衝突するのを抑制することができ、大きな衝突音の発生を抑制できるとともに、シャッターカーテン１２等に大きな衝撃力が作用するのを抑制できる。
【００２４】
なお、本発明は、前述の実施の形態に限定されるものではなく、種々変更可能である。
例えば、前述の各実施の形態では、支持部材２２によりローラー２０を左右方向に移動自在にするとともに、引張りコイルばね（付勢部材）２４によりローラー２０をローラーガイド側に付勢するようにしたが、これに代えて、シリンダ内を左右方向に移動自在なロッドの先端部にローラー２０を回転自在に固定し、ロッドを空圧、油圧あるいはばね等の付勢手段によりローラーガイド側に付勢するなどの構成にしてもよい。
【００２５】
また、ローラー２０は複数個設けるようにしてもよい。
また、ローラーガイド３０，３０Ａ，３０Ｂの当接部３１，３１Ａ，３１Ｂに摩擦材等を設けるようにしてもよいし、あるいはローレット目等の凹凸を設けるなどして、当接部３１，３１Ａ，３１Ｂの摩擦係数を高めるにしてもよい。
【００２６】
また、ローラーガイド３０，３０Ａ，３０Ｂの当接部３１，３１Ａ，３１Ｂの傾斜部、曲面部、直線状の部分と巻取ドラムの付勢部材の付勢力との関係を調整することにより、全開操作時に、シャッターカーテン１２をほぼ定速度で移動させることも可能である。
また、前述の各実施の形態では、ガイドレール１１にローラーガイド３０，３０Ａ，３０Ｂを設けるようにしたが、ローラーガイド３０，３０Ａ，３０Ｂを別個に設置するようにしてもよい。
【００２７】
また、前述の各実施の形態では、全開時手前３０〜５０ｃｍ程度でシャッターカーテン１２から手を離すと、巻取ドラムの付勢部材の付勢力によりシャッターカーテン１２が巻き取られ、それより手前で手を離しても、シャッターカーテン１２はその位置に留まるように、付勢部材の付勢力を設定したが、これに代えて、シャッターカーテン１２がもっと閉まっている状態で、手を離すと巻取ドラムの付勢部材の付勢力によりシャッターカーテン１２が巻き取られるようにするなど、その設定はどのようにしてもよい。
【図面の簡単な説明】
【００２８】
【図１】本発明の第１の実施の形態に係る手動式シャッター装置を屋内側から見た図である。
【図２】本発明の第２の実施の形態に係る手動式シャッター装置を屋内側から見た図である。
【図３】本発明の第３の実施の形態に係る手動式シャッター装置を屋内側から見た図である。
【符号の説明】
【００２９】
１    開口部
１０，１０Ａ，１０Ｂ    手動式シャッター装置
１１    ガイドレール
１２    シャッターカーテン
２０    ローラー
２２    支持部材
２４    引張りコイルばね（付勢部材）
３０，３０Ａ，３０Ｂ    ローラーガイド
３１，３１Ａ，３１Ｂ    案内部
【図１】
2006336358.tif 000003
【図２】
2006336358.tif 000004
【図３】
2006336358.tif 000005